(57)【要約】【課題】リフトの移動でリフトの座席部を裏返して座席部の座面を保護するリフト座面保護装置を提供する。【解決手段】被ガイド部材１７がガイドレール１２から外れた状態ではリンク機構１６の自重又は弾性部材の弾性により座面６が裏を向くように座席部５が実線で示した位置に裏返され、ワイヤーロープ２の移動に伴い被ガイド部材１７がガイドレール１２の上昇スロープ部１３から高位置部１４に引き上げられるまでの過程において、リンク機構１６が座席部５を実線で示した位置から仮想線で示した位置に回転して座面６が表に出る。そして、被ガイド部材１７が高位置部１４の上を滑って通過する間は、リンク機構１６が座席部５を仮想線で示した位置に保持し、座面６が表に出て着座可能な状態を維持され、座席部５の軸部材７よりも前部が座席フレーム４で下部より支えられ、座席部５の座面６に着座した利用者の体重は座席フレーム４が負担する。【選択図】図１
2020055386.tif 000002
【特許請求の範囲】
【請求項１】
リフトのワイヤーロープに固着されて吊り下げられたリフトフレームの座席フレームには座席部が軸部材を回転中心として前記ワイヤーロープの移動する方向に平行する方向に回転可能に連結され、前記ワイヤーロープより下方にはガイドレールが前記ワイヤーロープから離れて静止状態で設けられ、前記リフトフレームには前記座席部にピンで連結されたリンク機構が設けられ、前記ガイドレールが前記ワイヤーロープの移動に伴い前記座席部の座面を裏返した状態から表に向けて着座可能な状態に前記座席部を回転するように前記リンク機構に設けられた被ガイド部材を誘導する上昇スロープ部と前記ワイヤーロープの移動に伴い前記座席部の座面を表に向けた着座可能な状態を維持するように前記被ガイド部材を誘導する高位置部とを備えたことを特徴とするリフト座面保護装置。
【請求項２】
前記ガイドレールが前記ワイヤーロープの移動に伴い前記座席部の座面を表に出した状態から裏返した状態に前記座席部を回転するように被ガイド部材を誘導する下降スロープ部を備えたことを特徴とする請求項１記載のリフト座面保護装置。
【発明の詳細な説明】
【技術分野】
【０００１】
本発明は、リフトのワイヤーロープの動きを利用して座席部の座面を雨や雪或いは太陽光から保護するリフト座面保護装置に関する。
【背景技術】
【０００２】
特許文献１で開示されたリフト座面保護装置は、リフトの座席部に複数の板をブラインド状に連結してなる座席部を取り付け、リフトの利用者が座席部に着座していない場合には複数の板からなる座席部の座面が裏返しになっている。そして、リフトの利用者がリフトに乗ろうとして当該リフトの前に立つと、リフトの前進に伴い、複数の板からなる座席部の前部が前記利用者の脚部で後方に押されることで、座席部における複数の板が回転して座面が表を向き、利用者が座面に座れるようになっている。しかしながら、特許文献１で開示されたリフト座面保護装置は、座席部の前部が利用者の脚部で後方に押されてから座面が表を向くまでに時間がかかり、利用者がリフトに乗ろうとしてリフトの前に立つてから座るまでの動作に慣れが必要で、安全性に欠ける。
【先行技術文献】
【特許文献】
【０００３】
【特許文献１】特開平８−７２７０６号公報
【発明の概要】
【発明が解決しようとする課題】
【０００４】
本発明は、上記背景技術に鑑みてなされたものであり、リフトの移動でリフトの座席部を裏返して前記座席部の座面を保護するリフト座面保護装置の提供を目的とする。
【課題を解決するための手段】
【０００５】
本発明は、リフトのワイヤーロープに固着されて吊り下げられたリフトフレームの座席フレームには座席部が軸部材を回転中心として前記ワイヤーロープの移動する方向に平行する方向に回転可能に連結され、前記ワイヤーロープより下方にはガイドレールが前記ワイヤーロープから離れて静止状態で設けられ、前記リフトフレームには前記座席部にピンで連結されたリンク機構が設けられ、前記ガイドレールが前記ワイヤーロープの移動に伴い前記座席部の座面を裏返した状態から表に向けて着座可能な状態に前記座席部を回転するように前記リンク機構に設けられた被ガイド部材を誘導する上昇スロープ部と前記ワイヤーロープの移動に伴い前記座席部の座面を表に向けた着座可能な状態を維持するように前記被ガイド部材を誘導する高位置部とを備えたことを特徴とする。
【発明の効果】
【０００６】
本発明は、利用者は座面が表に出て着座可能になっていることを認識して着座すればよいので、利用者がリフトに乗ろうとしてリフトの前に立つてから座るまでの動作に慣れが不要で、安全であるという効果を奏する。本発明において、ガイドレールがワイヤーロープの移動に伴い座席部の座面を表に出した状態から裏返した状態に座席部を回転するように被ガイド部材を誘導する下降スロープ部を備えれば、被ガイド部材が高位置部から下降スロープ部を下る過程でゆっくりと裏返るので、リフトに衝撃が加わらないという効果を奏する。
【図面の簡単な説明】
【０００７】
【図１】発明を実施するための形態に係るリフトの始発駅又は終点駅におけるリフト座面保護装置を示した側面図。
【図２】発明を実施するための形態に係るリフトの始発駅又は終点駅でのガイドレールを示した平面図。
【図３】発明を実施するための形態に係るリフト座面保護装置を図１に示した矢印Ｓ方向から見た正面図。
【図４】発明を実施するための形態に係るリフトの中間駅でのガイドレールを示した側面図。
【図５】発明を実施するための形態に係るリフトの中間駅でのガイドレールを示した平面図。
【発明を実施するための形態】
【０００８】
図１に示した発明を実施するための形態に係るリフト座面保護装置では、リフト１のワイヤーロープ２に固着されて吊り下げられたリフトフレーム３の下部から前方に突出した座席フレーム４には、リフト１の座席部５が左右方向（図１の紙面の表裏の側に向く方向）に延びる軸心を有する軸部材７を回転中心として前後方向に回転可能に連結されている。前記座席部５が回転する前後方向は、ワイヤーロープ２の移動する方向に平行する方向である。
【０００９】
具体的には、座席部５の軸部材７よりも後部は、座席部５が回転する場合に、座席フレーム４と干渉しないようになっている。座席部５の軸部材７よりも前部は、仮想線で示した位置から実線で示した位置となるように後方に回転して座席フレーム４の背凭れに受け止められ、座面６が裏返しになって雨や雪或いは太陽光から保護される。又、座席部５の軸部材７よりも前部は、実線で示した位置から仮想線で示した位置となるように前方に回転し、座面６が表に向くと、座席部５がそれよりも下方に回転しないように、座席フレーム４で下方より支えられ、座席部５の座面６に着座した利用者の体重を座席フレーム４が負担する。
【００１０】
座席部５の軸部材７よりも前部及び後部が実線で示した位置から仮想線で示した位置となるように回転する方向は、座席部５が座面６を表に出す方向に回転する方向である。これとは逆に、座席部５の軸部材７よりも前部及び後部が仮想線で示した位置から実線で示した位置となるように回転する方向は、座席部５が座面６を裏返す方向に回転する方向である。
【００１１】
又、リフト１の始発駅又は終点駅では、設置面１０に設置された支柱１１で支持されたガイドレール１２がワイヤーロープ２及びホイール８から下方に離れて静止状態で設けられる。ガイドレール１２は上昇スロープ部１３と高位置部１４とを備える。上昇スロープ部１３は、ワイヤーロープ２の移動に伴い座席部５の座面６を裏返した状態から表に向けて着座可能な状態に座席部５を回転するようにリンク機構１６に設けられた被ガイド部材１７を誘導する部分であって、ワイヤーロープ２のホイール８の側に入って来る方向から高位置部１４の側に行くに従って徐々に上昇する勾配を有する。高位置部１４は、座席部５の座面６を表に向けた着座可能な状態を維持するように被ガイド部材１７を誘導する部分である。上昇スロープ部１３の上位端部と高位置部１４におけるワイヤーロープ２のホイール８の側に入って来る一端部とが、互いに滑らかに連続している。
【００１２】
リフトフレーム３にはリンク機構１６が設けられている。リンク機構１６の上部には被ガイド部材１７が横方向に突出して設けられ、リンク機構１６の下部が座席部５にピン１８で回転可能に連結され、被ガイド部材１７がガイドレール１２から外れた状態では、リンク機構１６の自重又は図示のされていない弾性部材の弾性が座席部５の軸部材７よりも後部に与えられ、座席部５の軸部材７よりも前部が軸部材７を回転中心として前側から上方を経由して後側へと回転し、それと同時に、座席部５の軸部材７よりも後部が軸部材７を回転中心として後側から下方を経由して前側へと回転し、座席部５が仮想線で示した位置から実線で示した位置となって座席フレーム４の背凭れに受け止められ、座席部５の座面６が裏返されて保護されるようになっている。
【００１３】
具体的には、リンク機構１６は、被ガイド部材１７と昇降部材１９と連結部材２０とスイング部材２１と昇降ガイド部材２２とを備える。被ガイド部材１７は、ガイドレール１２の上を滑動するように、昇降部材１９の上部から横に突出する。連結部材２０の一端部が昇降部材１９の下部にピン２３で連結され、連結部材２０の他端部がスイング部材２１の一端部にピン１８で回転可能に連結される。スイング部材２１の他端部は座席部５の後端部に固定されている。
【００１４】
昇降部材１９は、リフト１の利用者に邪魔にならいようにリフトフレーム３より進行方向の後側に位置している。昇降部材１９は、リフトフレーム３と平行になっており、第１昇降部材１９１と第２昇降部材１９２とがジョイント１９３で前後方向に可動するように連結された態様を図示した。昇降部材１９の個数は第１昇降部材１９１と第２昇降部材１９２と２個に限定されるものではなく単数又は３個以上であってよい。昇降ガイド部材２２は、リフトフレーム３に固定され、昇降部材１９を上下方向に誘導するものである。
【００１５】
又、図１に実線で示したように、被ガイド部材１７がガイドレール１２から外れ、座席部５が座席フレーム４の背凭れに受け止められ、座席部５の座面６が裏返されている状態から、ワイヤーロープ２がホイール８の回転により矢印Ａで示した方向に移動し、リフトフレーム３が実線で示した位置から矢印Ａで示した方向に移動するのに伴い、被ガイド部材１７がガイドレール１２の上昇スロープ部１３で高位置部１４の側に引き上げられる。このように被ガイド部材１７が上昇スロープ部１３で引き上げられる過程において、リンク機構１６が軸部材７を回転中心として座席部５を実線で示した位置から仮想線で示した位置に回転して座面６を表に出し、この座面６を表に出した座席部５が着座可能になる。
【００１６】
よって、リフト１の利用者がリフト１に乗る場合、利用者は座面６が表に出て着座可能になっていることを認識して着座すればよいので、利用者がリフト１に乗ろうとしてリフト１の前に立つてから座るまでの動作に慣れが不要で、安全である。又、利用者が表に出た座面６に着座した場合、座席部５の軸部材７よりも前部が座席フレーム４で下部より支えられ、座席部５の座面６に着座した利用者の体重を座席フレーム４が負担する。
【００１７】
図２に示した発明を実施するための形態に係るガイドレール１２は、下降スロープ部１５を備えていなくても適用可能であるが、下降スロープ部１５を備える。下降スロープ部１５は、図１に示した座席部５の座面６を表に出した状態から裏返した状態に座席部５を仮想線で示した位置から実線で示した位置に回転するように被ガイド部材を誘導する部分であって、高位置部１４からワイヤーロープ２のホイール８の側から出て行く方向に行くに従って徐々に下降する勾配を有する。高位置部１４におけるワイヤーロープ２のホイール８の側にから出て行く他端部と下降スロープ部１５の上位端部とが、互いに滑らかに連続している。高位置部１４は、ホイール８の回転中心９を中心とした半円状になっているので、座面６が表に向けられた座席部５の状態を維持するように被ガイド部材１７を長く誘導することができる。
【００１８】
図３に示した発明を実施するための形態に係るリフト座面保護装置では、ホイール８の回転でワイヤーロープ２が左方向に移動するのに伴い、被ガイド部材１７が右に位置する上昇スロープ部１３の上を滑って実線で示した位置から仮想線で示した位置へと上り、高位置部１４の右端部の上に到達する。このように被ガイド部材１７が上昇スロープ部１３から高位置部１４に到達するまでの間において、図１に示したように、リンク機構１６が座席部５を実線で示した位置から仮想線で示した位置に回転し、座面６が表に出て着座可能になり、利用者は座面６が表に出て着座可能になったことを認識して着座すればよい。
【００１９】
次に、図３に示したように、高位置部１４の右端部に到達したリンク機構１６の被ガイド部材１７は、ホイール８のさらなる回転によるワイヤーロープ２の矢印Ａ方向への移動に伴い、仮想線で示した位置から点線で示した位置へと高位置部１４の上を滑って図３における左端部の上に到達する。このように被ガイド部材１７が高位置部１４の右端部から左端部に到達するまでの間は、図１に示したように、リンク機構１６が座席部５を仮想線で示した位置に保持し、座面６が表に出て着座可能な状態を維持する。
【００２０】
更に、図３に示したように、被ガイド部材１７が高位置部１４から下降スロープ部１５に到達する場合において、利用者が座席部５に着座していれば、利用者の体重により被ガイド部材１７が下がることなく下降スロープ部１５から遊離して高位置部１４から水平に外れて行く。
【００２１】
又、被ガイド部材１７が高位置部１４から下降スロープ部１５に到達する場合において、利用者が座席部５に着座していなければ、リンク機構１６の自重又は図示のされていない弾性部材の弾性により、被ガイド部材１７が図３における高位置部１４の左端部から下降スロープ部１５を下って下降スロープ部１５から外れるまでの間において、図１に示したように、リンク機構１６が座席部５を仮想線で示した位置から実線で示した位置に回転し、座面６が裏返されて保護される。
【００２２】
下降スロープ部１５が設けられなくても適用可能であるが、下降スロープ部１５が設けられていれば、被ガイド部材１７が下降スロープ部１５を下る過程でゆっくりと裏返るので、リフト１に衝撃が加わることはない。
【００２３】
ガイドレール１２は始発駅の側に設けられれば利用者の利用に役立つが、ガイドレール１２は始発駅及び終点駅の両方に設けられていてもよい。
【００２４】
図４及び５に示したように、上昇スロープ部１３と高位置部１４と下降スロープ部１５とを備えたガイドレール１２が中間駅に設けられてもよい。ガイドレール１２としては下降スロープ部１５の無い態様でも適用可能である。
【００２５】
ガイドレール１２が中間駅に設けられた場合、２本のガイドレール１２がワイヤーロープ２の上り側と下り側との一方に設けられてもよいが、図５に示したように、２本のガイドレール１２がワイヤーロープ２の上り側と下り側とに設けられることにより、中間駅において中間駅から終点駅に向かう上り側の座席部５及び中間駅から始発駅に向かう下り側の座席部５に対する利便性が高い。
【００２６】
例えば、ワイヤーロープ２が図５に矢印Ａで示す方向に移動する側をワイヤーロープ２の上り側とすると、ワイヤーロープ２が図５に矢印Ｂで示す方向に移動する側がワイヤーロープ２の下り側となり、ワイヤーロープ２が図５に矢印Ｂで示す方向に移動する側をワイヤーロープ２の上り側とすると、ワイヤーロープ２が図５に矢印Ａで示す方向に移動する側がワイヤーロープ２の下り側となるというように、ワイヤーロープ２の上り側と下り側とではワイヤーロープ２の移動する方向が逆向きである。
【符号の説明】
【００２７】
１      リフト
２      リフト１のワイヤーロープ
３      リフト１のリフトフレーム
４      リフト１の座席フレーム
５      リフト１の座席部
６      座席部５の座面
７      座席フレーム４と座席部５とを連結した軸部材
８      ホイール
９      ホイール８の回転中心
１０    設置面
１１    支柱
１２    ガイドレール
１３    ガイドレール１２の高位置部
１４    ガイドレール１２の上昇スロープ部
１５    ガイドレール１２の下降スロープ部
１６    リンク機構
１７    リンク機構１６の被ガイド部材
１８    座席部５とリンク機構１６の下部とを連結したピン
１９    リンク機構１６の昇降部材
２０    リンク機構１６の連結部材
２１    リンク機構１６のスイング部材
２２    リンク機構１６の昇降ガイド部材
２３    昇降部材１９の下部と連結部材２０の一端部とを連結したピン
１９１  第１昇降部材
１９２  第２昇降部材
１９３  第１昇降部材１９１と第２昇降部材１９２とを連結したジョイント
【図１】
2020055386.tif 000003
【図２】
2020055386.tif 000004
【図３】
2020055386.tif 000005
【図４】
2020055386.tif 000006
【図５】
2020055386.tif 000007
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
リフトのワイヤーロープに固着されて吊り下げられたリフトフレームの座席フレームには座席部が軸部材を回転中心として前記ワイヤーロープの移動する方向に平行する方向に回転可能に連結され、前記ワイヤーロープより下方にはガイドレールが前記ワイヤーロープから離れて静止状態で設けられ、前記リフトフレームには前記座席部にピンで連結されたリンク機構が設けられ、前記ガイドレールが前記ワイヤーロープの移動に伴い前記座席部の座面を裏返した状態から表に向けて着座可能な状態に前記座席部を回転するように前記リンク機構に設けられた被ガイド部材を誘導する上昇スロープ部と前記ワイヤーロープの移動に伴い前記座席部の座面を表に向けた着座可能な状態を維持するように前記被ガイド部材を誘導する高位置部と、前記ワイヤーロープの移動に伴い前記座席部の座面を表に出した状態から裏返した状態に前記座席部を回転するように被ガイド部材を誘導する下降スロープ部とを備えたことを特徴とするリフト座面保護装置。